Podtech/llm-jp-corpus-v4-ja_patent huggingface dataset:
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
光源、
少なくとも１つの面特徴を有するランプシェードであって、前記少なくとも１つの面特徴は識別子を有し、前記識別子は前記ランプシェードの少なくとも１つの特性を表す、ランプシェード、並びに
前記ランプシェードの前記少なくとも１つの面特徴を検出するよう構成される検出器、
及び
検出された前記少なくとも１つの面特徴から前記識別子を取得し、取得した前記識別子に基づいて前記ランプシェードの前記少なくとも１つの特性を識別するよう構成される第１のプロセッサ、
を有する照明器具コンポーネント、
を有する照明器具であって、
前記第１のプロセッサは、前記ランプシェードの前記少なくとも１つの特性に基づいて前記光源の光出力を制御するよう構成される、照明器具。
【請求項２】
前記少なくとも１つの面特徴は、前記ランプシェードの表面に埋め込まれる、請求項１に記載の照明器具。
【請求項３】
前記少なくとも１つの面特徴は、前記ランプシェードの表面における突出及び／又は窪みを有し、前記突出及び／又は窪みは、前記識別子を有し、前記検出器は、前記識別子を検出するため前記突出及び／又は窪みを検出するよう構成される、請求項１又は２に記載の照明器具。
【請求項４】
前記少なくとも１つの面特徴の色は、前記ランプシェードの色と異なり、前記色の違いは、前記識別子を表し、前記検出器は、前記識別子を検出するため前記色の違いを検出するよう構成される、請求項１、２又は３に記載の照明器具。
【請求項５】
前記光源は、前記少なくとも１つの面特徴の少なくとも一部を照らすよう構成され、前記検出器は、前記少なくとも１つの面特徴の前記少なくとも一部を検出するよう構成される光学センシングユニットを有する、請求項１乃至４の何れか一項に記載の照明器具。
【請求項６】
前記検出器は、前記少なくとも１つの面特徴の少なくとも一部を照らすよう構成されるさらなる光源を有し、前記検出器は、前記少なくとも１つの面特徴の前記少なくとも一部を検出するよう構成される光学センシングユニットを有する、請求項１乃至４の何れか一項に記載の照明器具。
【請求項７】
前記少なくとも１つの面特徴の少なくとも一部は、前記ランプシェードの材料の導電性と異なる導電性を持つ導電材料を含み、前記検出器は、前記識別子を検出するため前記導電材料を検出するよう構成される、請求項１乃至４の何れか一項に記載の照明器具。
【請求項８】
前記検出器の少なくとも一部は、前記少なくとも１つの面特徴に物理的に接続される、請求項１乃至７の何れか一項に記載の照明器具。
【請求項９】
前記少なくとも１つの特性は、
ランプシェードのタイプ、
ランプシェードのコード、
ランプシェードの配光、及び
ランプシェードのための光設定、
を含む群のうちの少なくとも１つについての情報を有する、請求項１乃至８の何れか一項に記載の照明器具。
【請求項１０】
請求項１乃至９の何れか一項に記載の照明器具で用いる、請求項１乃至９の何れか一項に記載のランプシェードに準じるランプシェード。
【請求項１１】
請求項１乃至９の何れか一項に記載の照明器具で用いる、請求項１乃至９の何れか一項に記載の照明器具コンポーネントに準じる照明器具コンポーネント。
【請求項１２】
請求項１乃至９の何れか一項に記載の照明器具及び第１のデバイスを有する照明システムであって、
前記第１のプロセッサは、取得した前記識別子に基づいて信号を生成するよう構成され、
前記第１のデバイスは、前記信号を受信するよう構成され、前記第１のデバイスは、受信した前記信号に基づいて前記ランプシェードの前記少なくとも１つの特性を識別するよう構成される第２のプロセッサを有する、照明システム。
【請求項１３】
前記第２のプロセッサは、識別された前記少なくとも１つの特性に基づいて制御コマンドを生成するよう構成され、前記第１のプロセッサは、前記制御コマンドに基づいて前記光源の光出力を調整するよう構成される、請求項１２に記載の照明システム。
【請求項１４】
前記第１のデバイスは、ユーザインタフェースを有し、前記ユーザインタフェースは、前記ランプシェードについての情報をユーザに供するよう構成され、前記情報は、前記少なくとも１つの特性に基づく、請求項１２又は１３に記載の照明システム。
【請求項１５】
ランプシェードを識別する方法であって、
少なくとも１つの面特徴を有するランプシェードを設けるステップであって、前記少なくとも１つの面特徴は識別子を有し、前記識別子は前記ランプシェードの少なくとも１つの特性を表す、ステップ、
照明器具コンポーネントを設けるステップ、
前記照明器具コンポーネントにより、前記ランプシェードの前記少なくとも１つの面特徴を検出するステップ、
検出された前記少なくとも１つの面特徴から前記識別子を取得するステップ、
取得した前記識別子に基づいて前記ランプシェードの前記少なくとも１つの特性を識別するステップ、及び
前記ランプシェードの前記少なくとも１つの特性に基づいて光源の光出力を制御するステップ、
を含む方法。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
ａ）  複合材料の総重量に対して１から５重量％、好ましくは１．５から４重量％、または１から２．５重量％、好ましくは１．５から２．２重量％の範囲の含有率で少なくとも１つの電子伝導性添加剤；
ｂ）  Ｌｉ／Ｌｉ＋対に対して２Ｖより大きい電気化学ポテンシャルを有する、リチウムと挿入化合物を可逆的に形成することができる電極活物質としてのリチウム酸化物、リン酸塩、フルオロリン酸塩またはケイ酸塩；
ｃ）  フッ素化ポリマーバインダー；
ｄ）  少なくとも１つの有機塩
を含み、前記有機塩が式Ａおよび／または式Ｂを示し、
【化１】
2018511143.tif 000001
式Ａ中の−Ｘｉ−は、独立して以下の基または原子、即ち、−Ｎ＝、−Ｎ−−、−Ｃ（Ｒ）＝、−Ｃ−（Ｒ）−、−Ｏ−、−Ｓ（＝Ｏ）（Ｒ）＝または−Ｓ（Ｒ）＝を表し、ＲはＦ、ＣＮ、ＮＯ２、Ｓ−ＣＮ、Ｎ＝Ｃ＝Ｓ、−ＯＣｎＨｍＦｐ、−ＣｎＨｍＦｐからなる群からの基を表し、ｎ、ｍおよびｐは整数であり、式Ｂ中のＲｆはＦ、ＣＦ３、ＣＨＦ２、ＣＨ２Ｆ、Ｃ２ＨＦ４、Ｃ２Ｈ２Ｆ４、Ｃ２Ｈ３Ｆ２、Ｃ２Ｆ５、Ｃ３Ｆ６、Ｃ３Ｈ２Ｆ５、Ｃ３Ｈ４Ｆ３、Ｃ４Ｆ９、Ｃ４Ｈ２Ｆ７、Ｃ４Ｈ４Ｆ５、Ｃ５Ｆ１１、Ｃ３Ｆ５ＯＣＦ３、Ｃ２Ｆ４ＯＣＦ３、Ｃ２Ｈ２Ｆ２ＯＣＦ３、またはＣＦ２ＯＣＦ３を表し、ＺはＦ、ＣＮ、ＳＯ２Ｒｆ、ＣＯ２ＲｆまたはＣＯＲｆから選択される電子吸引基を表し、Ｍ＋は、リチウムカチオンまたはナトリウムカチオンを表し、前記バインダーは、高分子量の、および／または金属基材への接着性を発現させることができる官能基を有する、フルオロポリマーであることを特徴とする電池電極複合材料、好ましくは正極材料。
【請求項２】
式Ａの化合物はイミダゾレート、好ましくはリチウムイミダゾレートであることを特徴とする請求項１に記載の材料。
【請求項３】
有機塩は、材料の総重量に対して０．０１から１０重量％の間、好ましくは０．０５から５重量％の間を占めることを特徴とする請求項１および２のいずれかに記載の材料。
【請求項４】
前記バインダーは、フッ化ビニリデンとクロロトリフルオロエチレンとのコポリマー、およびポリ（フッ化ビニリデン）から選択される、高分子量のフルオロポリマー、好ましくは非常に高分子量のフルオロポリマーであることを特徴とする請求項１から３のいずれか一項に記載の材料。
【請求項５】
前記バインダーは、規格ＡＳＴＭ  Ｄ３８２５に従って剪断１００ｓ−１の下で２３２℃で測定される２０００Ｐａ．ｓ以上の溶融粘度を有するポリ（フッ化ビニリデン）、即ちＰＶＤＦである請求項１から４のいずれか一項に記載の材料。
【請求項６】
前記バインダーは、以下の官能基、即ち、カルボン酸、カルボン酸無水物、カルボン酸エステル、エポキシ基（グリシジル等）、アミド基、アルコール基、カルボニル基、メルカプト基、スルフィド基、オキサゾリン基およびフェノール基の少なくとも１つを有するＰＶＤＦである請求項１から３のいずれか一項に記載の材料。
【請求項７】
カルボン酸官能基は、アクリル酸、メタクリル酸、ヒドロキシエチル（メタ）アクリレート、ヒドロキシプロピル（メタ）アクリレートおよびヒドロキシエチルヘキシル（メタ）アクリレートから選択される請求項６に記載の材料。
【請求項８】
ＰＶＤＦは、フッ化ビニリデン（ＶＤＦ）ホモポリマーまたはＶＤＦと少なくとも１つの他のコモノマーとのコポリマーであって、ＶＤＦは少なくとも５０モル％を占める該コポリマーに対応し、前記コモノマーは、フッ化ビニル、トリフルオロエチレン、クロロトリフルオロエチレン（ＣＴＦＥ）、１，２−ジフルオロエチレン、テトラフルオロエチレン（ＴＦＥ）、ヘキサフルオロプロピレン（ＨＦＰ）、パーフルオロ（メチルビニル）エーテル（ＰＭＶＥ）、パーフルオロ（エチルビニル）エーテル（ＰＥＶＥ）またはパーフルオロ（プロピルビニル）エーテル（ＰＰＶＥ）等のパーフルオロ（アルキルビニル）エーテル、パーフルオロ（１，３−ジオキソール）、パーフルオロ（２，２−ジメチル−１，３−ジオキソール）（ＰＤＤ）、式ＣＦ２＝ＣＦＯＣＦ２ＣＦ（ＣＦ３）ＯＣＦ２ＣＦ２Ｘ（式中、ＸはＳＯ２Ｆ、ＣＯ２Ｈ、ＣＨ２ＯＨ、ＣＨ２ＯＣＮまたはＣＨ２ＯＰＯ３Ｈである）の生成物、式ＣＦ２＝ＣＦＯＣＦ２ＣＦ２ＳＯ２Ｆの生成物、式Ｆ（ＣＦ２）ｎＣＨ２ＯＣＦ＝ＣＦ２（式中、ｎは１、２、３、４または５である）の生成物、式Ｒ１ＣＨ２ＯＣＦ＝ＣＦ２（式中、Ｒ１は水素またはＦ（ＣＦ２）ｚであり、ｚは１、２、３または４の値を有する）の生成物、式Ｒ３ＯＣＦ＝ＣＨ２（式中、Ｒ３はＦ（ＣＦ２）ｚであり、ｚは１、２、３または４の値を有する）の生成物、またはパーフルオロブチルエチレン（ＰＦＢＥ）、フッ素化エチレンプロピレン（ＦＥＰ）、３，３，３−トリフルオロプロペン、２−トリフルオロメチル−３，３，３−トリフルオロ−１−プロペン、２，３，３，３−テトラフルオロプロペン、即ち、ＨＦＯ−１２３４ｙｆ、Ｅ−１，３，３，３−テトラフルオロプロペン、即ち、ＨＦＯ−１２３４ｚｅＥ、Ｚ−１，３，３，３−テトラフルオロプロペン、即ち、ＨＦＯ−１２３４ｚｅＺ、１，１，２，３−テトラフルオロプロペン、即ち、ＨＦＯ−１２３４ｙｃ、１，２，３，３−テトラフルオロプロペン、即ち、ＨＦＯ−１２３４ｙｅ、１，１，３，３−テトラフルオロプロペン、即ち、ＨＦＯ−１２３４ｚｃ、およびクロロテトラフルオロプロペン、即ち、ＨＣＦＯ−１２２４から選択される請求項５から７のいずれか一項に記載の材料。
【請求項９】
電子伝導添加剤は、異なる同素形の炭素または導電性有機ポリマーから選択されることを特徴とする請求項１から８のいずれか一項に記載の材料。
【請求項１０】
請求項１から９のいずれか一項に記載の材料の製造方法であって、
ｉ）  少なくとも
−  式Ａおよび／またはＢの１つ以上の有機塩；
−  電子伝導性添加剤；
−  請求項４から８のいずれか一項に記載のポリマーバインダー；
−  １つ以上の揮発性溶媒；
−  リチウム酸化物、リン酸塩、フルオロリン酸塩またはケイ酸塩から選択される電極活物質
を含む懸濁液の調製の段階：ならびに
ｉｉ）  （ｉ）で調製した懸濁液から出発するフィルムの調製段階
を含むことを特徴とする該方法。
【請求項１１】
揮発性溶媒は、有機溶媒または水から選択されることを特徴とする請求項１０に記載の方法。
【請求項１２】
有機溶媒は、Ｎ−メチルピロリドンまたはジメチルスルホキシドから選択されることを特徴とする請求項１１に記載の方法。
【請求項１３】
請求項１から９のいずれか一項に記載の材料を含むＬｉイオン電池。
【請求項１４】
Ｌｉイオン電池またはＮａイオン電池用の電極複合材料の製造におけるイオン伝導性添加剤としての式Ａおよび／またはＢの少なくとも１つの塩の使用。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
デバイスを、モデルにおける前記デバイスの表現にマッピングするための装置であって、
表現を表示するためのディスプレイと、
前記デバイスをトリガするためのトリガプロシージャであって、或る順序でトリガされるべき前記デバイスを規定するトリガプロシージャを規定するトリガ情報を記憶するためのメモリと、
トリガされたデバイスから、前記デバイスの識別子を含む識別情報を受信するための入力部と、
前記トリガプロシージャを介して前記デバイスの前記表現及び前記識別子を関連づけるためのプロセッサとを有する装置。
【請求項２】
前記プロセッサが、前記順序を介して前記識別子及び前記表現を関連づけるよう構成される請求項１に記載の装置。
【請求項３】
前記プロセッサが、前記トリガ情報を生成するよう構成される請求項１に記載の装置。
【請求項４】
前記メモリが、ユーザから前記トリガプロシージャを受け取るよう構成される請求項１に記載の装置。
【請求項５】
前記トリガプロシージャが、前記表現に割り当てられるべきユニークなコードを規定すると共に、前記デバイスに供給されるべき前記コードを規定し、前記識別情報が、前記デバイスに供給されるコードを更に有する請求項１に記載の装置。
【請求項６】
前記プロセッサが、前記コードを介して前記識別子及び前記表現を関連づけるよう構成される請求項５に記載の装置。
【請求項７】
前記プロセッサが、前記トリガ情報を生成するよう構成される請求項５に記載の装置。
【請求項８】
前記メモリが、ユーザから前記トリガプロシージャを受け取るよう構成される請求項５に記載の装置。
【請求項９】
前記トリガプロシージャが、前記ディスプレイにおいて示されるよう構成される請求項１に記載の装置。
【請求項１０】
請求項１に記載の装置を有すると共に、前記デバイスを更に有するシステム。
【請求項１１】
前記デバイスをトリガするための装置を更に有する請求項１０に記載のシステム。
【請求項１２】
デバイスを、モデルにおける前記デバイスの表現にマッピングするための方法であって、表現が、ディスプレイにおいて表示されるよう構成され、前記方法が、
前記デバイスをトリガするためのトリガプロシージャであって、或る順序でトリガされるべき前記デバイスを規定するトリガプロシージャを規定するトリガ情報を記憶するステップと、
トリガされたデバイスから、前記デバイスの識別子を含む識別情報を受信するステップと、
前記トリガプロシージャを介して前記デバイスの前記表現及び前記識別子を関連づけるステップとを有する方法。
【請求項１３】
コンピュータを介して実行するときに、請求項１２に記載の方法のステップを実施するコンピュータプログラム。
【請求項１４】
請求項１３に記載のコンピュータプログラムを記憶し、含む媒体。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
活性剤の制御された、持続的な放出のための、対象の体の手術部位への移植用のフィルムであって、前記フィルムは：
上位層および下位層、ここで、前記上位層および下位層のそれぞれは、生分解性ポリマーおよび放出剤からなる；および、
前記上位層と下位層の間の中位層、ここで、前記中位層は生分解性ポリマー、放出剤、および、活性剤を含み、ここで、前記活性剤は、前記中位層の４０〜８０ｗｔ％を構成する、
を含み、
前記上位層および下位層は、少なくとも移植前は活性剤を含まず、および、
前記フィルムは、移植後３から１４日の期間にわたって前記手術部位において前記活性剤を放出するように設計される、
フィルム。
【請求項２】
請求項１に記載のフィルムであって、
前記活性剤が、麻酔薬を含む、
フィルム。
【請求項３】
請求項１に記載のフィルムであって、
前記フィルムは、細長い一片（ｓｔｒｉｐ）である、
フィルム。
【請求項４】
請求項１に記載のフィルムであって、
前記放出剤は、少なくとも、ポリソルベート２０、ポリソルベート６０、および、ポリソルベート８０の少なくとも１つを含む放出剤である、
フィルム。
【請求項５】
請求項１に記載のフィルムであって、
少なくとも移植前は、前記上位層は前記中位層の上表面を覆い、前記下位層は前記中位層の下表面を覆い、および、前記中位層の周囲（ｐｅｒｉｍｅｔｅｒ）は、前記手術部位に移植される際に、前記中位層の周囲が前記手術部位の体液に直接接触するように、前記上位および下位層から露出している、
フィルム。
【請求項６】
請求項１に記載のフィルムであって、
前記フィルムの厚さが、約１μｍ〜約２０００μｍである、
フィルム。
【請求項７】
請求項１に記載のフィルムであって、
少なくとも１０ｗｔ％の前記活性剤が、前記フィルムの移植の２４時間以内に放出され、および、残りの放出剤は、移植後３から１４日の期間にわたって前記フィルムから放出される、
フィルム。
【請求項８】
請求項１に記載のフィルムであって、
前記フィルムの前記上位、中位、および／または、下位層の厚さが、０．０１μｍ〜１０００μｍであってよい、
フィルム。
【請求項９】
請求項１に記載のフィルムであって、
前記フィルムの前記上位、中位、および／または、下位層の厚さが、０．０１μｍ〜２００μｍであってよい、
フィルム。
【請求項１０】
請求項１に記載のフィルムであって、
前記放出剤は、前記上位および下位層のそれぞれの、約０．１ｗｔ％〜約５０ｗｔ％を構成する、
フィルム。
【請求項１１】
請求項１に記載のフィルムであって、
前記放出剤は、前記中位層の、約０．１ｗｔ％〜約５０ｗｔ％を構成する、
フィルム。
【請求項１２】
活性剤の制御された、持続的な放出のための、対象の体の手術部位への移植用のフィルムであって、前記フィルムは：
複数の積層された層、ここで、それぞれの層は生分解性ポリマーおよび放出剤を含み、前記複数の層は、２つの最外層、および、前記最外層の間に挟まれた少なくとも１つの中間層を含み、前記中間層は活性剤を含み、および、前記活性剤は前記中間層の４０〜８０ｗｔ％を構成し、
ここで、前記フィルムは、少なくとも１０ｗｔ％の前記活性剤を、前記手術部位における前記フィルムの移植の２４時間以内に放出し、および、残りの放出剤が、移植後３から１４日の期間にわたって前記フィルムから放出されるように設計される、
フィルム。
【請求項１３】
請求項１２に記載のフィルムであって、
前記活性剤が、麻酔薬を含む、
フィルム。
【請求項１４】
請求項１２に記載のフィルムであって、
前記フィルムは、細長い一片（ｓｔｒｉｐ）である、
フィルム。
【請求項１５】
請求項１２に記載のフィルムであって、
前記放出剤は、少なくとも、ポリソルベート２０、ポリソルベート６０、および、ポリソルベート８０の少なくとも１つを含む放出剤である、
フィルム。
【請求項１６】
請求項１２に記載のフィルムであって、
少なくとも移植前は、前記上位層は前記中位層の上表面を覆い、前記下位層は前記中位層の下表面を覆い、および、前記中位層の周囲は、前記手術部位に移植される際に、前記中位層の周囲が前記手術部位の体液に直接接触するように、前記上位および下位層から露出している、
フィルム。
【請求項１７】
請求項１２に記載のフィルムであって、
前記フィルムの厚さが、約１μｍ〜約２０００μｍである、
フィルム。
【請求項１８】
請求項１２に記載のフィルムであって、
前記フィルムの前記上位、中位、および／または、下位層の厚さが、０．０１μｍ〜１０００μｍであってよい、
フィルム。
【請求項１９】
請求項１２に記載のフィルムであって、
前記フィルムの前記上位、中位、および／または、下位層の厚さが、０．０１μｍ〜２００μｍであってよい、
フィルム。
【請求項２０】
請求項１２に記載のフィルムであって、
前記放出剤は、前記中位層の、約０．１ｗｔ％〜約５０ｗｔ％を構成する、
フィルム。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
プレス要素（１）と、第１の端部、第２の端部およびこれらの間の中間部を有し、その周りにリング素材（９）が取り付け可能であり、回転可能に取り付けられたマンドレル（２、２００）と、前記マンドレルの中間部がリング素材の取り付けのために自由となるように、前記マンドレル（２、２００）が、その第１の端部で第１の転がり軸受（３１０）において回転可能に取り付けられ、その第２の端部で第２の転がり軸受（３２０）において回転可能に取り付けられた、アドバンス装置（３）と、を備えてリング素材（９）を拡大するためのリング圧延機であって、
前記マンドレル（２、２００）の中間部がリング素材（９）の取り付けのために自由であり、それによって前記アドバンス装置（３）がマンドレル（２、２００）をプレス要素（１）に向かって、およびプレス要素（１）から再び離れるように移動可能であり、
寸法が減少し、前記リング素材（９）が圧延されるロールギャップは、前記マンドレル（２、２００）と前記プレス要素（１）との間に形成されており、
前記第２の転がり軸受（３２０）は、前記アドバンス装置（３）において軸方向に固定され配置されており、前記マンドレル（２、２００）は、前記第２の転がり軸受（３２０）に対して軸方向に移動可能に取り付けられて、前記マンドレル（２；２００）の第２の端部が前記第２の転がり軸受（３２０）から引き出され、または前記第２の転がり軸受に押し込まれる構成において、
前記第１の転がり軸受（３１０）は、前記アドバンス装置（３）において軸方向に固定され配置されており、前記マンドレル（２、２００）は、前記第１の転がり軸受（３１０）に対して軸方向に移動可能に取り付けられた、リング圧延機。
【請求項２】
前記第１および第２の転がり軸受（３１０、３２０）は、接する方向に移動可能な軸受として設計されていることを特徴とする、請求項１に記載のリング圧延機。
【請求項３】
前記第１および第２の転がり軸受（３１０、３２０）は、球面ころ軸受または自動調心玉軸受として設計されていることを特徴とする、請求項２に記載のリング圧延機。
【請求項４】
前記マンドレル（２、２００）を受け入れるための軸方向に固定されたスリーブ形状のブッシング（３１１、３２１）は、前記第１および第２の転がり軸受（３１０，３２０）の中に回転自在に取り付けられていることを特徴とする、請求項１から３のいずれか一項に記載のリング圧延機。
【請求項５】
前記ブッシング（３１１、３２１）は、前記第１および第２の転がり軸受（３１０、３２０）の回転軸に対して傾斜可能に配置されていることを特徴とする、請求項４に記載のリング圧延機。
【請求項６】
前記ブッシング（３１１，３２１）の傾斜性は、ストッパ（３１２、３２２）によって制限されていることを特徴とする、請求項５に記載のリング圧延機。
【請求項７】
前記第２の転がり軸受（３２０）の中に配置された少なくともブッシング（３２１）は、漏斗状の挿入斜面（３２３）を有することを特徴とする、請求項４から６のいずれか一項に記載のリング圧延機。
【請求項８】
前記第２の転がり軸受（３２０）の中に配置された少なくとも前記ブッシング（３２１）は、組立工具（１０００）との係合のために、好ましくは、環状溝（３２９）として設計された形状適合要素を有することを特徴とする請求項４から７のいずれか一項に記載のリング圧延機。
【請求項９】
前記マンドレル（２、２００）は、前記第２の端部の前端（２ａ）が円錐形または丸みを帯びた形状を有することを特徴とする、請求項１から８のいずれか一項に記載のリング圧延機。
【請求項１０】
前記アドバンス装置（３）は、前記マンドレル（２）をその長手方向に位置するために、前記マンドレル（２）の前端（２ａ）のための好ましく調整可能なストッパ要素（３２５、３２５４）を有することを特徴とする、請求項１から９のいずれか一項に記載のリング圧延機。
【請求項１１】
前記ストッパ要素（３２５、３２５４）は、前記第２の転がり軸受（３２０）内に部分的に突出しており、前記第２の転がり軸受３２０の内部に排出される、洗浄剤および／または冷却剤のための供給ライン（３２６、３２５５）を備えるように設計されることを特徴とする、請求項１０に記載のリング圧延機。
【請求項１２】
前記ストッパ要素（３２５４）は、回転可能に取り付けられていることを特徴とする、請求項１０または１１に記載のリング圧延機。
【請求項１３】
前記アドバンス装置（３）は、前記マンドレル（２００）をその長手方向に位置決めするために、前記マンドレル（２００）の前記第１の端部にストッパカラー（２２）用のストッパ要素を有することを特徴とする、請求項１から９のいずれか一項に記載のリング圧延機。
【請求項１４】
前記アドバンス装置（３）は、前記マンドレル（２００）をその長手方向に位置決めするために、前記マンドレル（２００）の前記第１の端部にストッパカラー（２２）用のストッパ要素を有し、
前記ストッパ要素は、前記第１の転がり軸受（３１０）内に回転可能に取り付けられた前記ブッシング（３１１）によって形成されることを特徴とする、請求項４に記載のリング圧延機。
【請求項１５】
前記アドバンス装置は、回転可能な回転ドラムであり、前記回転ドラムが前記プレス要素に対して配置されて、前記回転ドラム（３）の回転によって、前記マンドレル（２、２００）と前記プレス要素（１）との間に、減少するロールギャップが形成されることを特徴とする、請求項１から１４のいずれか一項に記載のリング圧延機。
【請求項１６】
前記回転ドラム（３）は、相互に間隔をおいて配置され、互いに連結回転するように強固に接続された２つのディスク状のドラム部（３１、３２）を備え、前記マンドレル（２、２００）のための第１の転がり軸受（３１０）および第２の転がり軸受（３２０）は軸方向に固定されて配置されていることを特徴とする、請求項１５に記載のリング圧延機。
【請求項１７】
前記第１および第２の転がり軸受（３１０、３２０）は、それらの全体が交換可能に前記アドバンス装置（３）の中にそれぞれが取り付けられていることを特徴とする、請求項１から１６のいずれか一項に記載のリング圧延機。
【請求項１８】
前記第１の転がり軸受（３１０）、前記第２の転がり軸受（３２０）および／または前記アドバンス装置（３）のための好ましい閉鎖冷却システム（３１７、３１８ａ、３１８ｂ、３２７，３２８ａ、３２８ｂ）を有することを特徴とする、請求項１から１７のいずれか一項に記載のリング圧延機。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
急性虚血検出デバイスであって、
１２誘導心電計デバイスと、
電子データ処理デバイスであって、
ＶＳＬ誘導データを生成するため、前記１２誘導ＥＣＧデバイスにより取得された１２誘導ＥＣＧデータに、１２誘導ＥＣＧｔｏ血管特異的誘導ＶＳＬ変換を適用するステップと、
前記ＶＳＬ誘導データに対するＳＴ値を決定するステップと、
前記ＶＳＬ誘導データに対するＳＴ値とＶＳＬ誘導ＳＴ閾値とを比較することにより、前記１２誘導ＥＣＧデバイスにより取得された前記１２誘導ＥＣＧデータが、急性虚血を示すかどうかを決定するステップとを含む処理を実行する、電子データ処理デバイスと、
前記１２誘導ＥＣＧデバイスにより取得された前記１２誘導ＥＣＧデータが急性虚血を示すと決定される場合、急性虚血アラーム又は警告を表示する表示要素とを有し、
前記決定するステップが、急性虚血を示さないことが知られているベースライン１２誘導ＥＣＧデータに基づかれない、急性虚血検出デバイス。
【請求項２】
前記適用するステップが、前記１２誘導ＥＣＧデータを取得するために使用された前記１２誘導ＥＣＧ電極配置に基づき、標準的な１２誘導ＥＣＧ電極配置又はＭａｓｏｎ−Ｌｉｋａｒ１２誘導ＥＣＧ電極配置のいずれかに対する前記１２誘導ＥＣＧｔｏＶＳＬ変換を選択するステップを含む、請求項１に記載の急性虚血検出デバイス。
【請求項３】
前記決定するステップが、前記１２誘導ＥＣＧデータが取得される対象の性別に基づき、前記ＶＳＬ誘導ＳＴ閾値を選択するステップを含む、請求項１又は２に記載の急性虚血検出デバイス。
【請求項４】
前記適用するステップが、
前記１２誘導ＥＣＧデバイスにより取得された１２誘導ＥＣＧデータに、１２誘導ＥＣＧｔｏ左前下行枝変換を適用して、ＬＡＤ誘導データを生成するステップと、
前記１２誘導ＥＣＧデバイスにより取得された１２誘導ＥＣＧデータに、１２誘導ＥＣＧｔｏ左回旋動脈変換を適用して、ＬＣＸ誘導データを生成するステップと、
前記１２誘導ＥＣＧデバイスにより取得された１２誘導ＥＣＧデータに、１２誘導ＥＣＧｔｏ左冠動脈変換を適用して、ＲＣＡ誘導データを生成するステップとを含む、請求項１乃至３のいずれか一項に記載の急性虚血検出デバイス。
【請求項５】
前記表示要素が更に、前記生成されたＶＳＬ誘導データをＶＳＬ誘導トレースとして表示する、請求項１乃至４のいずれか一項に記載の急性虚血検出デバイス。
【請求項６】
オフライン処理を実行するようにプログラムされた電子データ処理デバイスを更に有し、前記オフライン処理が、
閉塞されたＶＳＬに対応する冠動脈で取得された少なくとも１つの体表面電位マッピングデータセットに基づき、各ＶＳＬに対してＳＴマップを生成するステップと、
前記ＳＴマップが最大ＳＴ上昇及び最大ＳＴ下降を示す位置を各ＶＳＬに対して特定するステップと、
少なくとも１つの体表面電位マッピングデータセット及び各ＶＳＬに対する前記特定された位置を使用して、前記１２誘導ＥＣＧｔｏＶＳＬ変換を決定するステップとを含む、請求項１乃至５のいずれか一項に記載の急性虚血検出デバイス。
【請求項７】
前記電子データ処理デバイスが、更なるオフライン処理を実行するようプログラムされ、
前記更なるオフライン処理が、前記ＶＳＬに対する前記ＳＴ閾値を最適化し、訓練データが急性虚血を伴う又は急性虚血を伴わない対象に対するものであるかどうかについてラベル付けされた１２誘導ＥＣＧ訓練データに関して急性虚血を最適に決定するステップを含む、請求項６に記載の急性虚血検出デバイス。
【請求項８】
急性虚血検出方法において、
対象の１２誘導心電図データを取得するステップと、
前記１２誘導ＥＣＧデータに、１２誘導ＥＣＧｔｏ血管特異的誘導ＶＳＬ変換を適用し、前記対象に関するＶＳＬ誘導データを生成するステップと、
前記ＶＳＬ誘導データに対するＳＴ値を決定するステップと、
前記ＶＳＬ誘導データに対するＳＴ値とＶＳＬ誘導ＳＴ閾値とを比較することにより、前記対象が急性虚血を有するか否かを決定するステップと、
前記対象が急性虚血を有すると決定される場合、急性虚血アラーム又は警告を発するステップとを有し、
前記決定するステップが、急性虚血を示さないことが知られているベースライン１２誘導ＥＣＧデータに基づかれない、方法。
【請求項９】
前記適用及び決定ステップが、左前下行誘導データ、左回旋動脈誘導データ、及び左冠動脈誘導データを含むＶＳＬ誘導データに対するＳＴ値を生成及び決定するために実行される、請求項８に記載の急性虚血検出方法。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
患者とベンチレータとの間に配設された呼吸回路のための湿分除去並びに凝縮及び湿度管理装置であって、
患者とベンチレータとの間に第１の湿度レベル及び所定の湿分又は凝縮レベルを有する呼吸ガスの流れのための呼吸ガス導管を定める呼吸回路管体と、
前記第１の湿度レベルよりも低い第２の湿度レベルを有するように構成された乾性ガス流のため、前記呼吸ガス導管の少なくとも一部分に隣接した乾性ガス導管と、
前記呼吸ガスの流れにおける湿度が低下し且つ前記呼吸ガスの流れにおける湿分又は凝縮物が前記乾性ガス流に移送されるようにする、前記呼吸ガス導管と前記乾性ガス導管との間にある透湿経路と、を備え、
前記乾性ガス流は、乾性ガス源から乾性ガス導管に乾性ガス流を給送する１又は２以上の入力ポートに結合され、
前記乾性ガス流は、出口ポートを介して装置を囲む周囲環境に流出する、装置。
【請求項２】
前記呼吸回路管体は、水蒸気に対して透過性であるが液体水に対して透過性ではない透過部分を含み、前記呼吸回路管体のこのような透過部分によって前記透湿経路が設けられるようになる、請求項１に記載の装置。
【請求項３】
前記呼吸回路管体の透過部分は、前記呼吸回路管体の一部を形成する透過膜である、請求項２に記載の装置。
【請求項４】
前記呼吸回路管体は、前記呼吸ガス導管から前記乾性ガス導管への液体水の排出を可能にする１又は２以上の小孔を含み、前記呼吸回路管体のこのような１又は２以上の小孔によって、前記透湿経路が設けられるようになる、請求項１に記載の装置。
【請求項５】
前記呼吸回路管体は、前記呼吸ガス導管を定める内側管体によって形成され、前記乾性ガス導管は、前記内側管体を囲む外側管体によって形成され、前記乾性ガス導管は、前記内側管体と前記外側管体との間に定められる環状流導管によって定められる、請求項１乃至３の何れか１項に記載の装置。
【請求項６】
前記環状空間において前記内側管体と前記外側管体との間に形成された隔壁を更に備え、前記隔壁は、前記乾性ガス導管を、前記装置の第１の端部から前記装置の第２の端部への乾性ガスの流れのための第１の送出導管と、前記装置の前記第２の端部から前記装置の前記第１の端部への乾性ガスの流れのための第２の戻り導管とに分割する、請求項５に記載の装置。
【請求項７】
前記呼吸回路導管及び乾性ガス導管は、前記透湿経路を有する共通隔壁を共有する、請求項１に記載の装置。
【請求項８】
前記共通隔壁は、水蒸気に対して透過性であるが液体水に対して透過性ではない透過部分を含み、前記共通隔壁のこのような透過部分によって前記透湿経路が設けられるようになる、請求項７に記載の装置。
【請求項９】
前記呼吸回路管体の前記透過部分は、前記共通隔壁の一部分を形成する透過膜である、請求項８に記載の装置。
【請求項１０】
前記共通隔壁は、前記呼吸ガス導管から前記乾性ガス導管への液体水の排出を可能にする１又は２以上の小孔を含み、前記共通隔壁のこのような１又は２以上の小孔によって前記透湿経路が設けられるようになる、請求項７に記載の装置。
【請求項１１】
呼吸回路における湿分除去又は凝縮制御方法であって、
請求項１乃至１０の何れか１項に記載された装置を提供する段階と、
前記呼吸回路管体を介して呼吸ガスを患者に供給する又は患者から受け取る段階と、
前記乾性ガス導管を通って乾燥空気を供給して、前記呼吸ガス導管から湿分又は液体水凝縮物を除去する段階と、を含む、方法。
【請求項１２】
湿度センサを用いて前記第１及び第２の湿度レベルのうちの１又は２以上を監視する段階を更に含む、請求項１１に記載の方法。
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
カプセル玩具において、
カプセルであって、前記カプセルの本体を形成する１つまたは複数の構成要素を備え、かつ取り出し可能な玩具をはめ込むように構成されるカプセルと、
本体を備え、かつ前記カプセル内にはめ込まれるように構成される玩具と
を含み、
前記玩具が前記カプセルから取り出された後、前記玩具の前記本体が前記カプセルの少なくとも１つの構成要素を受け入れるように構成されることを特徴とするカプセル玩具。
【請求項２】
請求項１に記載のカプセル玩具において、前記玩具が前記カプセル内にはめ込まれるとき、前記玩具が折りたたまれた状態であり、および前記玩具が前記カプセルから取り出され、かつ前記玩具の前記本体が前記カプセルの前記少なくとも１つの構成要素を受け入れるとき、前記少なくとも１つの構成要素が前記玩具を形成された状態に変えることを特徴とするカプセル玩具。
【請求項３】
請求項１または２に記載のカプセル玩具において、前記玩具が軟質玩具であることを特徴とするカプセル玩具。
【請求項４】
請求項１乃至３の何れか１項に記載のカプセル玩具において、前記玩具の前記本体の少なくとも一部が柔軟な材料から形成されることを特徴とするカプセル玩具。
【請求項５】
請求項４に記載のカプセル玩具において、前記玩具の前記本体が柔軟な靴下から形成されることを特徴とするカプセル玩具。
【請求項６】
請求項１乃至５の何れか１項に記載のカプセル玩具において、前記玩具の前記本体が開口を備えることを特徴とするカプセル玩具。
【請求項７】
請求項６に記載のカプセル玩具において、前記玩具の前記本体が前記開口を介して前記少なくとも１つの構成要素を受け入れることを特徴とするカプセル玩具。
【請求項８】
請求項７に記載のカプセル玩具において、前記開口が封止可能であることを特徴とするカプセル玩具。
【請求項９】
請求項８に記載のカプセル玩具において、前記開口がファスナによって封止可能であることを特徴とするカプセル玩具。
【請求項１０】
請求項９に記載のカプセル玩具において、前記ファスナが、面ファスナ、ジッパーファスナ、および前記玩具の前記本体の材料の折り重なりの組から選択されるものであることを特徴とするカプセル玩具。
【請求項１１】
請求項１乃至１０の何れか１項に記載のカプセル玩具において、前記カプセルが複数の構成要素を備えることを特徴とするカプセル玩具。
【請求項１２】
請求項１１に記載のカプセル玩具において、前記カプセルが、構成要素の一方を他方から切り離すことによって開放可能であることを特徴とするカプセル玩具。
【請求項１３】
請求項１２に記載のカプセル玩具において、前記カプセルから取り出し可能となった後、前記カプセルが前記複数の構成要素から再形成されるように構成され、および前記玩具が前記再形成されたカプセルを受け入れるようにさらに構成されることを特徴とするカプセル玩具。
【請求項１４】
請求項１乃至１３の何れか１項に記載のカプセル玩具において、前記玩具の前記本体が、前記玩具の外部特徴の少なくとも一部を形成するために前記カプセルの少なくとも１つの構成要素を受け入れるように構成されることを特徴とするカプセル玩具。
【請求項１５】
本体を備え、かつカプセル内にはめ込まれるように構成される玩具において、前記玩具が前記カプセルから取り出された後、前記玩具の前記本体が、前記カプセルの本体を形成する構成要素の少なくとも１つを受け入れるように構成されることを特徴とする玩具。
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
（ｉ）アジュバントと、
（ｉｉ）担体タンパク質に結合する少なくとも１つの融合ペプチドと
を含んでなり、
該担体タンパク質はジフテリア毒素変異体ＣＲＭ−１９７（配列番号６１）であり、かつ
該少なくとも１つの融合ペプチドは、配列番号１〜７および前記のいずれかと少なくとも８５％の同一性を有するアミノ酸配列からなる群から選択されるＨｅｒ２／ｎｅｕの２つ以上の不連続Ｂ細胞エピトープを含んでなる、
ワクチン組成物。
【請求項２】
前記融合ペプチドが、配列番号８〜１４および前記のいずれかと少なくとも８５％の同一性を有するアミノ酸配列からなる群から選択されるアミノ酸配列を含んでなる、請求項１に記載のワクチン組成物。
【請求項３】
前記融合ペプチドが、配列番号８〜１４のいずれかと少なくとも９０％の同一性を有するアミノ酸配列を含んでなる、請求項１に記載のワクチン組成物。
【請求項４】
前記融合ペプチドが、配列番号８〜１４のいずれかと少なくとも９５％の同一性を有するアミノ酸配列を含んでなる、請求項１に記載のワクチン組成物。
【請求項５】
前記融合ペプチドが、配列番号８〜１４のいずれかと少なくとも９９％の同一性を有するアミノ酸配列を含んでなる、請求項１に記載のワクチン組成物。
【請求項６】
前記融合ペプチドが、配列番号８もしくは配列番号９のアミノ酸配列または配列番号８もしくは配列番号９と少なくとも８５％の同一性を有するアミノ酸配列を含んでなる、請求項２に記載のワクチン組成物。
【請求項７】
前記融合ペプチドが、配列番号８または配列番号９と少なくとも９０％の同一性を有するアミノ酸配列を含んでなる、請求項２に記載のワクチン組成物。
【請求項８】
前記融合ペプチドが、配列番号８または配列番号９と少なくとも９５％の同一性を有するアミノ酸配列を含んでなる、請求項２に記載のワクチン組成物。
【請求項９】
前記融合ペプチドが、配列番号８または配列番号９と少なくとも９９％の同一性を有するアミノ酸配列を含んでなる、請求項２に記載のワクチン組成物。
【請求項１０】
前記融合ペプチドが、配列番号８または配列番号９のアミノ酸配列からなる、請求項６に記載のワクチン組成物。
【請求項１１】
前記担体タンパク質が２〜３９の融合ペプチドを含んでなる、請求項１〜１０のいずれか一項に記載のワクチン組成物。
【請求項１２】
前記担体タンパク質が６〜１２の融合ペプチドを含んでなる、請求項１１に記載のワクチン組成物。
【請求項１３】
前記アジュバントが水酸化アルミニウム、リン酸アルミニウム、硫酸カリウムアルミニウム、水酸化燐灰石、フロイントの完全アジュバント、モンタニド（商標）、フロイントの不完全アジュバント、ｉｓｃｏｍｓ、ｉｓｃｏｍマトリックス、ＩＳＣＯＭＡＴＲＩＸＴＭアジュバント、マトリックスＭＴＭアジュバント、マトリックスＣＴＭアジュバント、マトリックスＱＴＭアジュバント、ＡｂＩＳＣＯ（商標）−１００アジュバント、ＡｂＩＳＣＯ（商標）−３００アジュバント、ＩＳＣＯＰＲＥＰＴＭ、ＩＳＣＯＰＲＥＰＴＭ誘導体、ＩＳＣＯＰＲＥＰＴＭまたはＩＳＣＯＰＲＥＰＴＭ誘導体、ＱＳ−２１、ＱＳ−２１誘導体を含有するアジュバント、およびＱＳ−２１またはＱＳ２１誘導体を含有するアジュバントからなる群から選択される、請求項１〜１２のいずれか一項に記載のワクチン組成物。
【請求項１４】
前記アジュバントが水酸化アルミニウムである、請求項１３に記載のワクチン組成物。
【請求項１５】
前記アジュバントがモンタニドである、請求項１３に記載のワクチン組成物。
【請求項１６】
チェックポイント阻害剤をさらに含んでなる、請求項１〜１５のいずれか一項に記載のワクチン組成物。
【請求項１７】
請求項１〜１６のいずれか一項に記載のワクチン組成物と、薬学的に許容可能な担体とを含んでなる、医薬組成物。
【請求項１８】
必要とする患者において、Ｈｅｒ２／ｎｅｕの発現または過剰発現を特徴とする癌の治療または予防に使用するための、請求項１７に記載の医薬組成物。
【請求項１９】
前記癌が乳癌である、請求項１８に記載の医薬組成物。
【請求項２０】
前記癌が胃癌である、請求項１８に記載の医薬組成物。
【請求項２１】
必要とする患者において、Ｈｅｒ２／ｎｅｕの発現または過剰発現を特徴とする癌の治療または予防に使用するための、請求項１〜１６のいずれか一項に記載のワクチン組成物。
【請求項２２】
前記癌が乳癌である、請求項２１に記載のワクチン組成物。
【請求項２３】
前記癌が胃癌である、請求項２１に記載のワクチン組成物。
【手続補正２】
【補正対象書類名】明細書
【補正対象項目名】配列表
【補正方法】追加
【補正の内容】
【配列表】
2018511659000001.app
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
Ｂ７分子、４−１ＢＢ作動薬、並びに動物癌又は腫瘍細胞を含有し、当該細胞が、その抗原提示機能を強化するのに十分な時間及び条件で少なくとも１つの外因性ＩＦＮと接触させたものである、組成物。
【請求項２】
前記細胞を、少なくとも１つの外因性ＩＦＮを取り除くために洗浄する、請求項１に記載の組成物。
【請求項３】
前記Ｂ７分子が、Ｂ７．１又はＢ７．２分子である、請求項１又は請求項２に記載の組成物。
【請求項４】
前記Ｂ７分子が、該細胞表面で発現され、ここで、該分子の少なくとも一部が細胞外環境に晒される、請求項１〜３のいずれか１項に記載の組成物。
【請求項５】
前記Ｂ７分子が可溶形で存在する、請求項１〜４のいずれか１項に記載の組成物。
【請求項６】
前記Ｂ７分子が、免疫グロブリン定常領域に融合するか又は別の方法で連結したＢ７分子の細胞外ドメインに相当するポリペプチドを含むキメラタンパク質である、請求項５に記載の組成物。
【請求項７】
前記４−１ＢＢ作動薬が、該細胞の表面に発現され、ここで、該分子の少なくとも一部が細胞外環境に晒される、請求項１〜６のいずれか１項に記載の組成物。
【請求項８】
前記４−１ＢＢ作動薬が、可溶形で存在する、請求項１〜７のいずれか１項に記載の組成物。
【請求項９】
前記可溶性４−１ＢＢ作動薬が、免疫グロブリン定常領域に融合するか又は別の方法で連結した４−１ＢＢＬの細胞外ドメインに相当するポリペプチドを含むキメラタンパク質である、請求項８に記載の組成物。
【請求項１０】
前記４−１ＢＢ作動薬が、４−１ＢＢＬ分子又はその生物活性断片である、請求項１〜９のいずれか１項に記載の組成物。
【請求項１１】
前記動物細胞が、肺、乳房、子宮、子宮頚部、卵巣、結腸、膵臓、前立腺、精巣、胃、膀胱、腎臓、骨、肝臓、網内細胞系、食道、脳、皮膚、及び軟組織から成る群から選択される組織、臓器又は系に由来する、請求項１〜１０のいずれか１項に記載の組成物。
【請求項１２】
対象の癌又は腫瘍を治療するための医薬であって、請求項１〜１１のいずれか１項に記載の組成物を含有する、医薬。
【請求項１３】
対象の抗原提示細胞が、数的に消耗しているか又は低減している、請求項１２に記載の医薬。
【請求項１４】
前記数的に消耗しているか又は低減している抗原提示細胞が、マクロファージ、樹状細胞、及び／又はＢ細胞である、請求項１３に記載の医薬。
【請求項１５】
前記対象が免疫抑制療法を受けている、請求項１２〜１４のいずれか１項に記載の医薬。
【手続補正書】
【提出日】平成30年12月19日(2018.12.19)
【手続補正１】
【補正対象書類名】特許請求の範囲
【補正対象項目名】請求項６
【補正方法】変更
【補正の内容】
【請求項６】
前記炭素含有粉末又は前記ドーパント含有粉末が、５０μｍよりも小さい直径を有する平均粒子径を有することを特徴とする請求項１〜５のいずれか１項に記載の方法。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
高温高圧におけるアンモニアと二酸化炭素の直接二相性反応による尿素の合成のための尿素合成反応器（１）であって、軸（Ａ）に沿って延び、かつ２つのエンド・キャップによって対向する軸方向端部のそれぞれが閉じられた本質的に円筒状の主部（４）を有するケーシング（２）と、前記ケーシング（２）のそれぞれの貫通開口（１１、１２）を通して挿入され、前記ケーシング（２）の内側において、二酸化炭素を含む軽い相およびアンモニアを含む重い相を前記反応器（１）にそれぞれ別々に供給するための軽い相の分配器（１５）および重い相の分配器（１６）に、それぞれ別々に接続される第１および第２の送入管（１３、１４）と、を包含し、前記開口（１１、１２）は、前記主部（４）と前記ケーシング（２）のドーム形状の底部（５）を結合する円周のエッジ（９）の上方において、前記ケーシング（２）の前記主部（４）の実質的に円筒状の側壁（６）を通して形成され、前記軽い相の分配器（１５）が、前記反応器（１）内において前記軸（Ａ）に関して横広がりに分配された複数の吸入ポイントに前記軽い相が分配されるように、前記反応器（１）の断面内に、かつ前記軸Ａに関して延び、かつ／または分配され、かつ互いに間隔が空けられた吸入孔（２１）が備えられている１つまたは複数の管状要素（２０）を包含し、前記重い相の分配器（１６）は、下向きに、前記ケーシング（２）の底部（５）に向かって曲げられた実質的に垂直の管部分（２６）を有する実質的にＬ字形状の管状本体（２４）を包含し前記管部分（２６）は、複数の側方貫通孔（２９）を有することを特徴とする、尿素合成反応器（１）。
【請求項２】
前記軽い相の分配器（１５）の前記管状要素（２０）は、前記第１の送入管（１３）から突出し、かつ前記ケーシング（２）の側壁（６）に沿って前記軸（Ａ）を中心に配置され、かつ好ましくは前記側壁（６）から半径方向に間隔が空けられる環状要素（２０ａ）を包含し、前記環状要素（２０ａ）は、前記環状要素（２０ａ）に沿って前記環状要素（２０ａ）の側壁（２３）に形成され、かつ前記環状要素（２０ａ）に沿って互いに前記軸（Ａ）に関して横広がりの角度的に間隔が空けられた複数の吸入貫通孔（２１）が備えられている、請求項１に記載の反応器。
【請求項３】
前記軽い相の分配器（１５）の前記管状要素（２０）は、前記環状要素（２０ａ）から突出し、かつさらなる吸入貫通孔（２１）が横広がりに備えられた複数のアーム（２０ｂ）を包含する、請求項２に記載の反応器。
【請求項４】
前記アーム（２０ｂ）は、前記環状要素（２０ａ）によって半径方向に区切られる空間（３５）内に延びる、請求項３に記載の反応器。
【請求項５】
前記アーム（２０ｂ）は、前記環状要素（２０ａ）から前記軸（Ａ）に向かって半径方向に突出し、かつオプションとして、前記軸（Ａ）に沿って配置された中心接合部（３８）内において互いに中心で結合する、請求項３または４に記載の反応器。
【請求項６】
前記軽い相の分配器（１５）の前記管状要素（２０）は、前記軸（Ａ）に関して同心の一連の環状要素（２０ａ、２０ｃ）を包含し、前記環状要素は、それぞれに吸入孔（２１）が備えられ、かつオプションとして半径方向アーム（２０ｂ）によって接続される、請求項１から５のいずれか一項に記載の反応器。
【請求項７】
前記貫通孔（２９）は、前記ケーシング（２）のドーム形状の底部（５）内の、前記ケーシング（２）の前記底部（５）と前記主部（４）を結合する円周のエッジ（９）の下方に少なくとも部分的に位置決めされる、請求項１から６のいずれか一項に記載の反応器。
【請求項８】
前記管部分（２６）は、前記ケーシング（２）内の中心に、かつ前記軸Ａに実質的に沿って位置決めされる、請求項７に記載の反応器。
【請求項９】
前記ケーシング（２）のドーム形状の底部（５）に形成された補助開口（３４）を通過する補助送入管（３１）によって定義される軽い相の追加送入口（３０）を有し、前記追加送入口（３０）が、前記底部（５）の中心に位置決めされる、請求項１から８のいずれか一項に記載の反応器。
【請求項１０】
高温高圧におけるアンモニアと二酸化炭素の直接二相性反応のステップを包含する尿素合成プロセスにおける、請求項１から９のいずれか一項に記載の尿素合成反応器の用途。
【請求項１１】
高温高圧におけるアンモニアと二酸化炭素の直接二相性反応による尿素合成プロセスであって、軸（Ａ）に沿って延び、かつ反応室（３）を定義する反応器（１）内において、二酸化炭素を含む軽い相およびアンモニアを含む重い相を供給するステップ、を包含し、前記プロセスが、前記反応器（１）のケーシング（２）の主部（４）と前記ケーシング（２）のドーム形状の底部（５）を結合する円周のエッジ（９）の上方において、前記主部（４）の実質的に円筒状の側壁（６）を通して形成された開口（１１、１２）を介して前記反応器（１）内に前記軽い相および前記重い相を供給するステップと、前記反応器（１）内において前記軸（Ａ）に関して横広がりに分配された複数の吸入ポイントにおいて、前記軽い相を、前記反応器（１）の断面内に、かつ前記軸（Ａ）に関して、実質的に一様に分配するステップとを包含し、前記重い相を供給する前記ステップは、前記重い相を前記軸（Ａ）に沿って中心に、かつ下向きに指向させるステップと、前記反応室（３）内において前記重い相を半径方向に分配するステップと、を包含することを特徴とする、尿素合成プロセス。
【請求項１２】
前記吸入ポイントは、前記軸（Ａ）に関して実質的に少なくとも１つのリングに沿って設定される、請求項１１に記載のプロセス。
【請求項１３】
前記吸入ポイントの少なくともいくつかは、前記軸（Ａ）に関して位置決めされた少なくとも１つの環状要素（２０ａ）上において互いに角度的に間隔が空けられたそれぞれの吸入孔（２１）によって定義される、請求項１１または１２に記載のプロセス。
【請求項１４】
そのほかの吸入ポイントは、前記環状要素（２０ａ）によって半径方向に区切られる空間（３５）内において前記環状要素（２０ａ）から突出するアーム（２０ｂ）上に位置決めされたそれぞれの吸入孔（２１）によって定義される、請求項１３に記載のプロセス。
【請求項１５】
前記軽い相および前記重い相は、前記軸（Ａ）に沿って異なる高さにおいて前記反応器（１）の内側の前記反応室（３）内に供給される、請求項１１から１４のいずれか一項に記載のプロセス。
【請求項１６】
前記重い相は、前記反応器（１）のドーム形状の底部（５）を実質的に円筒状の主部（４）と結合する円周のエッジ（９）の下方において前記反応室（３）内に供給される、請求項１５に記載のプロセス。
【請求項１７】
前記反応室（３）内において追加の軽い相の流れを供給するステップを包含し、前記追加の軽い相の流れは、前記軸（Ａ）に沿って中心に、かつ上向きに循環される、請求項１１から１６のいずれかに記載のプロセス。
【手続補正２】
【補正対象書類名】図面
【補正対象項目名】図３
【補正方法】変更
【補正の内容】
【図３】
2018511603.tif 000001
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
Ａ）
ｉ）ノルボルナンジアミン（ＮＢＤＡ）を含む１つ以上のエポキシ硬化剤、及び
ｉｉ）エポキシ官能価が２である液状エポキシ樹脂と過剰の前記エポキシ硬化剤との反応生成物である反応中間体、を含む硬化剤部分と、
Ｂ）
ｉｉｉ）エポキシ官能価が２．２超である１つ以上の多官能性エポキシ樹脂を含むエポキシ部分と、
を含む２液型接着剤。
【請求項２】
前記１つ以上の多官能性エポキシ樹脂が、エポキシ官能価が２．６超である多官能性エポキシ樹脂を含む、請求項１に記載の２液型接着剤。
【請求項３】
前記１つ以上のエポキシ硬化剤が、４，７，１０−トリオキサ−１，１３−トリデカン−ジアミン（ＴＤＤ）を更に含む、請求項１又は２に記載の２液型接着剤。
【請求項４】
前記硬化剤部分が、６．０重量％超のＴＤＤを含む、請求項３に記載の２液型接着剤。
【請求項５】
前記エポキシ部分が、エポキシ官能価が２．５超である前記多官能性エポキシ樹脂を２１．０重量％超含む、請求項１〜４のいずれか一項に記載の２液型接着剤。
【請求項６】
前記１つ以上の多官能性エポキシ樹脂が、テトラグリシジルメチレンジアニリン（ＴＧＭＤＡ）を含む、請求項１〜５のいずれか一項に記載の２液型接着剤。
【請求項７】
前記エポキシ部分が、２１．０重量％超のテトラグリシジルメチレンジアニリン（ＴＧＭＤＡ）を含む、請求項１〜６のいずれか一項に記載の２液型接着剤。
【請求項８】
前記エポキシ部分が、２１．０重量％超のトリスフェノールメタンのトリグリシジルエーテルを含む、請求項１〜４のいずれか一項に記載の２液型接着剤。
【請求項９】
前記硬化剤部分が、液状エポキシ樹脂中のコア／シェルゴムナノ粒子の懸濁液と過剰の前記１つ以上のエポキシ硬化剤との反応生成物である反応中間体を更に含む、請求項１〜８のいずれか一項に記載の２液型接着剤。
【請求項１０】
請求項１〜９のいずれか一項に記載の前記２液型接着剤のいずれかの前記エポキシ部分と前記硬化剤部分とを混合して、硬化させた硬化材料。